(57)【要約】【課題】  フロックを含む被処理水を層流の状態に管理すると共に、沈殿分離したフロックの巻き上げを防止して、品質の高い清澄水を生成する。【解決手段】  被処理水中に浮遊するフロックを沈殿させて除去するための沈殿槽３０において、被処理水の流入口付近において、被処理水を沈殿槽３０の下部へ向かって導く板状の部材からなる潜り堰３１と、被処理水の流下方向に対して交差すると共に、複数の孔が開設された整流面３２ａを有する板状の部材からなる整流板３２と、被処理水の上流側から下流側へ向かって下り傾斜する板状の部材からなる邪魔板３３とを備える。【選択図】  図１
2013180266.tif 000002
【特許請求の範囲】
【請求項１】
被処理水中に浮遊するフロックを沈殿させて除去するための沈殿槽であって、潜り堰と、整流板と、邪魔板とを備え、
前記潜り堰は、前記被処理水の流入口付近において、前記被処理水を沈殿槽の下部へ向かって導く板状の部材からなり、
前記整流板は、前記被処理水の流下方向に対して交差すると共に、複数の孔が開設された整流面を有する板状の部材からなり、被処理水の上流側から下流側へ向かって複数設置され、
前記邪魔板は、前記被処理水の上流側から下流側へ向かって下り傾斜する板状の部材からなる、
ことを特徴とする濁水処理用沈殿槽。
【請求項２】
前記整流板を振動させる振動装置を備えたことを特徴とする請求項１に記載の濁水処理用沈殿槽。
【請求項３】
前記被処理水の流下方向に沿って、下方に向かって縮径する円錐状の沈殿部を複数並設し、隣り合う沈殿部の境界部に、上方へ向かって縮径して突出する山型のフロック堆積阻害部を設けると共に、前記各沈殿部の最下部に、沈殿した汚泥を引き抜くための開口部を設けたことを特徴とする請求項１又は２に記載の濁水処理用沈殿槽。
【請求項４】
前記各沈殿部の内部に、堆積したフロックを前記開口部へ向かって掻き出すフロック掻出装置を設けたことを特徴とする請求項３に記載の濁水処理用沈殿槽。
【請求項５】
側面壁の少なくとも１面が着脱可能となっており、複数の沈殿槽を並列させると共に、隣り合う各沈殿槽において対向する側面壁をそれぞれ取り外して、当該隣り合う各沈殿槽同士を連結することにより全体として一つの沈殿槽を形成可能としたことを特徴とする請求項１〜４のいずれか１項に記載の濁水処理用沈殿槽。
【請求項６】
前記邪魔板は、前記被処理水の流量に応じて、取り付け位置を変更可能であることを特徴とする請求項１〜５のいずれか１項に記載の濁水処理用沈殿槽。
【発明の詳細な説明】
【技術分野】
【０００１】
本発明は、濁水処理用沈殿槽に関するものであり、濁水処理装置において、凝集材が添加された濁水中のフロックを沈殿させて除去し、清浄水を生成するための技術に関するものである。
【背景技術】
【０００２】
工事現場で発生する濁水は、多くの現場で貯め置く環境が許されない状況にあることから、工事の支障とならないように、工事敷地内から適宜放流することを強いられる。その際、当然のことながら放流先の水質環境に悪影響を及ぼさないように、水質基準を満足するための処理を行う必要がある。特に、放流先が河川、湖沼、海域である場合には、放流水には厳しい水質基準が適用されるのが一般的である。また、食品処理施設や一般廃棄物処理施設等においても汚濁水が発生し、この汚濁水を適切に処理する必要がある。
【０００３】
濁水処理技術では、無機系凝集材と高分子凝集材を単独又は併用して濁水中の土粒子を凝集させ、凝集した土粒子群を重力によって自然沈降させる方法が採用されている。凝集した土粒子群の沈降速度は、最大でも７ｍ／Ｈ（日本ダム協会資料）となることから、清澄な上澄み水を得るには、求められる単位時間当たりの処理量と同等の貯留容積を有する沈殿池又はシックナーが必要となる。
【０００４】
従来、濁水に含まれるＳＳ（浮遊物質）を効率的に沈殿させて清澄水を生成するために、種々の濁水処理技術が提案されている（例えば、特許文献１、特許文献２参照）。特許文献１に記載された技術は、凝集槽と沈殿槽とを仕切る仕切壁の下部に流通孔を設けて、凝集槽から沈殿槽に被処理水を流入させることにより、沈殿槽においてフロックを沈殿させるようになっている。
【０００５】
また、特許文献２に記載された技術は、被処理水の流れ方向に沿って、流路中に交互に突出する複数の迂回用壁を設けることにより、被処理水を蛇行させて流路長を延長し、あるいは流速を遅延させて、被処理水と凝集材との凝集反応を促進させるようになっている。
【先行技術文献】
【特許文献】
【０００６】
【特許文献１】特開平１０−２８９７６号公報
【特許文献２】特開２００６−３２６４８５号公報
【発明の概要】
【発明が解決しようとする課題】
【０００７】
ところで、濁水処理で使用する沈殿槽は、フロックにしたＳＳの重力沈降分離と、凝集反応後に残留する微細なフロックの成長による重力沈降の促進を目的とした装置である。この際、フロックを重力により沈降させるためには、沈殿槽内に供給されたフロックを含む流体が層流の状態に管理されていることが重要となる。また、沈殿分離したフロックの巻き上げを防止して、処理後の水質を高品質に保つ必要がある。
【０００８】
この点、上述した特許文献１及び特許文献２に記載された技術では、フロックを含む被処理水が必ずしも層流の状態になるとは限らず、乱流が発生するおそれがある。また、沈殿分離したフロックが巻き上げられることもあり、効率的にフロックを沈殿させることができない場合もあった。
【０００９】
本発明は、上述した事情に鑑み提案されたもので、フロックを含む被処理水を層流の状態に管理すると共に、沈殿分離したフロックの巻き上げを防止して、品質の高い清澄水を生成することが可能な濁水処理用沈殿槽を提供することを目的とする。
【課題を解決するための手段】
【００１０】
本発明の濁水処理用沈殿槽は、上述した目的を達成するため、以下の特徴点を有している。すなわち、本発明の濁水処理用沈殿槽は、被処理水中に浮遊するフロックを沈殿させて除去するための装置であって、潜り堰と、整流板と、邪魔板とを備えたことを特徴としている。
【００１１】
潜り堰は、被処理水の流入口付近において、被処理水を沈殿槽の下部へ向かって導く板状の部材からなる。整流板は、被処理水の流下方向に対して交差すると共に、複数の孔が開設された整流面を有する板状の部材からなり、被処理水の上流側から下流側へ向かって複数設置される。邪魔板は、被処理水の上流側から下流側へ向かって下り傾斜する板状の部材からなる。
【００１２】
このような構成からなる濁水処理用沈殿槽では、沈殿槽の上流側に設けた攪拌槽から、潜り堰を介して沈殿槽内に被処理水が流入する。すなわち、被処理水は沈殿槽の下部付近から沈殿槽内に流入することになる。また、沈殿槽内に流入した被処理水は、整流板により層流となる。この際、被処理水は整流板に開設された複数の孔を通過するため、整流板において流路が狭められ、フロックが成長する。さらに、邪魔板により被処理水の流路が短絡することを防止する。
【００１３】
また、上述した構成に加えて、整流板を振動させる振動装置を備えることが好ましい。このような構成からなる濁水処理用沈殿槽では、振動装置により整流板を振動させて、整流面の目詰まりを防止する。この振動装置は、例えば、整流板を被処理水の流下方向に沿って振動させる。
【００１４】
また、上述した構成に加えて、被処理水の流下方向に沿って、下方に向かって縮径する円錐状の沈殿部を複数並設する。そして、隣り合う沈殿部の境界部に、上方へ向かって縮径して突出する山型のフロック堆積阻害部を設けると共に、各沈殿部の最下部に、沈殿した汚泥を引き抜くための開口部を設けることが好ましい。このような構成からなる濁水処理用沈殿槽では、フロックが円錐状の沈殿部の側壁に沿って沈殿槽下部まで落下し、沈殿槽下部まで落下したフロックは、開口部から引き抜かれる。この際、隣り合う沈殿部の境界部付近では、山型のフロック堆積阻害部により、フロックの堆積が阻害され、フロックは沈殿槽下部まで滞ることなく落下する。
【００１５】
また、上述した構成に加えて、各沈殿部の内部に、堆積したフロックを開口部へ向かって掻き出す攪拌装置を設けることが好ましい。このような構成からなる濁水処理用沈殿槽では、沈殿部の内部に堆積したフロックは、フロック掻出装置により開口部へ向かって掻き出される。
【００１６】
また、上述した構成に加えて、側面壁の少なくとも１面が着脱可能となっており、複数の沈殿槽を並列させると共に、隣り合う各沈殿槽において対向する側面壁をそれぞれ取り外して、当該隣り合う各沈殿槽同士を連結することにより全体として一つの沈殿槽を形成可能な構成とすることが好ましい。このような構成からなる濁水処理用沈殿槽では、現場における被処理水量に応じて、１単位の沈殿槽を複数繋ぎ合わせて、所望の大きさの沈殿槽を形成することができる。
【００１７】
また、上述した構成に加えて、邪魔板は、被処理水の流量に応じて、取り付け位置を変更可能であることが好ましい。このような構成からなる濁水処理用沈殿槽では、被処理水の流量が少ない場合には、邪魔板の取り付け位置を被処理水の流下方向に対して相対的に上流側とし、被処理水の流量が多い場合には、邪魔板の取り付け位置を被処理水の流下方向に対して相対的に下流側とする。
【発明の効果】
【００１８】
本発明の濁水処理用沈殿槽によれば、潜り堰を設置することにより、攪拌槽から流入する被処理水の流路に短絡が生じることがない。また、整流板を設置することにより、被処理水が層流の状態となるように管理することができる。さらに、整流板に設けた複数の孔により被処理水の流路が狭くなるため、この孔を被処理水が通過する際に、フロックが孔の周辺部に衝突してフロックを成長させることができる。また、邪魔板を設置することにより、沈殿槽内を流れる被処理水の流路に短絡が生じることがない。
【００１９】
また、整流板を振動させる振動装置を備えた構成とすることにより、整流板が振動して、整流面に付着したフロックを振り落とすことにより、整流面の目詰まりを防止して、より一層確実に、被処理水が層流の状態となるように管理することができる。
【００２０】
また、下方に向かって縮径する円錐状の沈殿部を設けることにより、フロックが沈殿部の側壁面に沿って円滑に落下するので、フロックを容易に沈殿槽の下部に導くことができる。ここで、１単位の沈殿槽に１つの沈殿部を設けた場合には、沈殿部の傾斜角度が緩くなり、フロックの滑り落ちを阻害するおそれがある。一方、沈殿部の傾斜角度を鋭角とするには、沈殿槽の高さを高くせざるを得ず、装置全体（特に、上流側に設置した攪拌槽）の高さが高くなってしまう。そこで、１単位の沈殿槽に複数（例えば２つ）の沈殿部を設けることにより、同じ高さの沈殿槽であっても、沈殿部の内壁面の傾斜角度を鋭くすることができるので、フロックを容易に落下させることができる。
【００２１】
また、沈殿部の最下部に汚泥を引き抜くための開口部を設けて、適宜、汚泥を引き抜くことにより、フロックが過剰に堆積することを防止できる。すなわち、フロックが過剰に堆積すると、流路断面が狭小化して被処理水の流速が速まり、せっかく沈殿分離したフロックが巻き上げられて、処理水質が劣化してしまうが、沈殿部を設けると共に、適宜、開口部からフロックを引き抜くことにより、このような不都合を解消することができる。
【００２２】
また、沈殿部と沈殿部の間に、山型のフロック沈殿阻害部を設けることにより、沈殿部と沈殿部の間にフロックが堆積することを防止して、フロックを沈殿部の下方へ向かって円滑に落下させることができる。また、フロック掻出装置を設けることにより、沈殿部の内部に堆積したフロックが開口部へ向かって掻き出されるので、フロックを容易に開口部から排出することができる。
【００２３】
また、複数個の沈殿槽を連結して、所望の大きさの沈殿槽を形成する構成とした場合には、被処理水の発生量等、現場の状況に応じて適正な処理量を有する沈殿槽を形成することができる。また、それぞれ別体となった複数個の沈殿槽を単に連結するのではなく、連結面の壁を取り外して連結し、全体として一つの沈殿槽を形成する構成としているので、被処理水の水量増加に対応した適切な流速を確保することができ、フロックの分離性能の低下を防止することができる。
【００２４】
また、被処理水の流量に応じて邪魔板の取り付け位置を変更可能とすることにより、被処理水の流量が増加した場合であっても、フロックが邪魔板に衝突して破壊されることを防止して、処理水質を高めることができる。すなわち、被処理水の流量が多いと、せっかく形成されたフロックが邪魔板に衝突して破壊される。したがって、この場合には、邪魔板の取り付け位置を下流側へ移動させることにより、フロックが邪魔板へ接触する際の衝撃を和らげて、フロックの破壊を防止することができる。
【００２５】
また、被処理水の上流側から下流側へ向かって整流板を複数設置することにより、被処理水の流量に応じて、適宜整流板の設置枚数を増減して、被処理水が層流の状態となるように管理することができる。
【図面の簡単な説明】
【００２６】
【図１】本発明の実施形態に係る濁水処理用沈殿槽の構成を示す断面模式図。
【図２】本発明の実施形態に係る濁水処理用沈殿槽の連結態様を示す模式図。
【図３】本発明の実施形態に係る濁水処理用沈殿槽を適用した濁水処理装置の外観を示す斜視図。
【図４】フロック掻出装置の一例を示す模式図。
【図５】フロック掻出装置の他の例を示す模式図。
【図６】振動装置の一例を示す模式図。
【図７】振動装置の他の例を示す模式図。
【発明を実施するための形態】
【００２７】
以下、図面を参照して、本発明の濁水処理用沈殿槽の実施形態を説明する。図１〜図３は、本発明の実施形態に係る濁水処理用沈殿槽を示すもので、図１は濁水処理用沈殿槽の構成を示す断面模式図、図２は濁水処理用沈殿槽の連結態様を示す模式図、図３は濁水処理用沈殿槽を適用した濁水処理装置の外観を示す斜視図である。また、図４及び図５は、フロック掻出装置の模式図、図６及び図７は振動装置の模式図である。
【００２８】
＜濁水処理装置の概要＞
本発明の実施形態に係る濁水処理用沈殿槽（以下、沈殿槽と略記する）は、例えば、工事現場等で発生する濁水を清浄化して、放流先の水質基準を満足した処理水を生成するための濁水処理装置に適用する装置である。この濁水処理装置は、図３に示すように、被処理水（濁水）中に凝集材を投入する凝集材投入装置４０と、凝集材が投入された被処理水（濁水）を攪拌してフロックを生成する第１攪拌槽１０と、フロックの成長を促進させる第２攪拌槽２０と、被処理水（濁水）中に存在するフロックを沈殿させて除去する沈殿槽３０とを備えている。また、沈殿槽３０で処理済の放流水を一時貯留するための放流槽（図示せず）を備えた構成としてもよい。
【００２９】
＜凝集材投入装置＞
凝集材投入装置４０は、被処理水中に凝集材を投入するための装置であり、単位時間あたりに一定量の凝集材を投入することができればどのような装置であってもよい。公知の薬剤定量投入装置としては、ピストン式、ダイヤフラム式、プランジャ式、スネーク式等のポンプが知られている。例えば、凝集材を蓄積するホッパーと、ホッパーの出口に設けたスクリューコンベアと、スクリューコンベアを一定速度で回転させるためのモータとを備えた粉体定量投入装置を利用することができる。この場合には、ホッパー内に凝集材を装填し、スクリューコンベアを所定の速度で回転させることにより、必要量の凝集材を第１攪拌槽１０内に投入することができる。
【００３０】
＜第１攪拌槽／第２攪拌槽＞
第１攪拌槽１０は、凝集材が投入された被処理水を攪拌してフロックを生成するための装置であり、第２攪拌槽２０は、第１攪拌槽１０から流出した被処理水を第１攪拌槽１０よりも遅い速度で攪拌してフロックの成長を促進するための装置である。
【００３１】
＜沈殿槽＞
沈殿槽３０は、図１に示すように、第２攪拌槽２０から流入する被処理水中に存在するフロックを沈殿させて除去するための装置である。この沈殿槽３０は、第２攪拌槽２０から流入する被処理水を、沈殿槽３０の底面側へ導く潜り堰３１を備えている。この潜り堰３１により、被処理水が沈殿槽３０の底面側から供給されるため、処理水の流れに短絡が生じることがない。
【００３２】
また、沈殿槽３０は、被処理水の水流に略直交する方向に設置した複数の整流板３２と、上流側から下流側へ向かって下り傾斜する邪魔板３３とを備えている。整流板３２は、被処理水が層流の状態となるように管理するための板状の部材であり、複数の孔を開設した整流面３２ａを有している。邪魔板３３は、上流側から下流側へ向かって下り傾斜する板状の部材からなり、被処理水の流路に短絡が生じないようにするための部材である。整流板３２及び邪魔板３３としては、例えば、土木資材で利用されるネットやパンチングメタルを使用することができる。なお、整流板３２及び邪魔板３３は、沈殿槽３０に対して着脱可能とすることが好ましい。
【００３３】
本実施形態の整流板３２は、沈殿槽３０の上部から下部に向かって設置された板状の部材であり、被処理水が流れる方向に沿って複数枚設けられている。詳細には図示しないが、例えば、沈殿槽３０において、対向する内側面の複数箇所に、上部から下部へ向かう凹状のレールを対向して一対ずつ設け、この一対のレールの上部から整流板３２を差し込むことにより、沈殿槽３０内に整流板３２を設置することができる。整流板３２の設置枚数及び設置位置は、第２攪拌槽２０におけるフロックの形成状況や被処理水の流量等に応じて適宜選択される。この整流板３２により、被処理水が層流の状態となるように管理し、さらに、複数の孔を設けた整流面３２ａにおいて被処理水の流路が狭くなるため、この孔を被処理水が通過する際にフロックが孔の周辺部に衝突してフロックの成長を促進することができる。
【００３４】
また、最下流側の整流板３２は、上流側の整流板３２と比較して、整流面３２ａに開設した孔の開口径が小さくすることが好ましい。このように、最下流側の整流面３２ａに開設した孔の開口径を小さくすることにより、この整流面３２ａでフロックを捕捉して、放流水の品質を向上させることができる。さらに、沈殿槽３０の最下流側に、モール状のフロック捕捉部材を複数吊り下げることにより、フロックを捕捉してもよい。
【００３５】
＜振動装置（１）＞
また、整流板３２に振動を与える振動装置６０を設けることが好ましい。この振動装置６０は、図６に示すように、被処理水の流下方向に沿って設けた棒状の振動付与部材（例えば、振動桿６１）と、振動付与部材の一端部に接触するように設けたカム部材（例えば、円板カム６２）と、振動付与部材の一端部をカム部材の外周面に押し付ける方向に付勢力を付与する付勢部材（例えば、コイルバネ６３）と、カム部材を回転させる回転駆動部材（例えば、円板カム６２のカム軸６２ａに連結された駆動モータ６４）と、振動付与部材と整流板３２とを連結する連結部材６５とを備えている。
【００３６】
具体的には、図６に示すように、沈殿槽３０の上方に、被処理水の流下方向に沿って振動桿６１を掛け渡して取り付ける。この振動桿６１は、その長手方向に往復移動するように、軸受け等を用いて沈殿槽３０の上方に取り付けられている。そして、振動桿６１の一端部に接触した円板カム６２を駆動モータ６４により回転させる。振動桿６１は、コイルバネ６３の付勢力により、その一端部が円板カム６２の外周面に押し付けられているため、円板カム６２が回転すると、振動桿６１が被処理水の流下方向に沿って往復移動する。振動桿６１が往復移動すると、連結部材６５により振動桿６１に連結された整流板３２が振動し、整流面３２ａの目詰まりを防止して、被処理水を層流の状態に保つことができる。
【００３７】
＜振動装置（２）＞
また、他の構成からなる振動装置７０は、図７に示すように、クランク機構を用いて、整流板３２を振動させる装置であって、被処理水の流下方向に沿って設けた棒状の振動付与部材（例えば、振動桿７１）と、駆動モータ７３の駆動により回転するクランクディスク７２と、振動付与部材とクランクディスク７２とを連結する連結棒７４と、振動付与部材と整流板３２とを連結する連結部材７５とを備えている。
【００３８】
具体的には、図７に示すように、沈殿槽３０の上方に、被処理水の流下方向に沿って振動桿７１を掛け渡して取り付ける。この振動桿７１は、その長手方向に往復移動するように、軸受け等を用いて沈殿槽３０の上方に取り付けられている。そして、振動桿７１の一端部に連結棒７４の一端部を回動可能に接続し、連結棒７４の他端部をクランクディスク７２に回動可能に接続する。そして、駆動モータ７３の駆動によりクランクディスク７２を回転させると、クランクディスク７２の回転運動が連結棒７４により往復運動に変換され、連結棒７４に接続された振動桿７１が往復移動する。振動桿７１が往復移動すると、連結部材７５により振動桿７１に連結された整流板３２が振動し、整流面３２ａの目詰まりを防止して、被処理水を層流の状態に保つことができる。
【００３９】
なお、振動装置６０、７０は、必ずしもすべての整流板３２を振動させる必要はなく、整流面３２ａの目詰まりが生じやすい整流板３２のみを振動させてもよい。この場合には、振動させる整流板３２のみに連結部材６５、７５を取り付け、振動桿６１、７１と連結すればよい。また、整流板３２の振動方向は、被処理水の流下方向に沿った方向（前後方向）だけではなく、上下方向であってもよい。さらに、上述した振動装置６０、７０の他に、整流板３２を上下方向に振動させる第２の振動装置を設けて、両者により整流板３２を前後及び上下に振動させてもよい。
【００４０】
邪魔板３３は、沈殿槽３０内の下方において、被処理水の水流に対して、下流に向かって下り傾斜する板状の部材である。この邪魔板３３を設けることにより、被処理水の流路に短絡が生じないように制御することができる。また、邪魔板３３は、沈殿槽３０の底部（沈殿部３４）に停留したフロックの巻き上がりを防止する機能も有している。
【００４１】
また、邪魔板３３は、被処理水の流量に応じて、その取り付け位置を変更できるようになっている。具体的には、被処理水の流量が少ない場合には、邪魔板３３の取り付け位置を被処理水の流下方向に対して相対的に上流側とし、被処理水の流量が多い場合には、邪魔板３３の取り付け位置を被処理水の流下方向に対して相対的に下流側とする。
【００４２】
また、沈殿槽３０は、その側面壁の少なくとも１面が着脱可能となっている。図１に示す例では、被処理水の流下方向に対して、それぞれ後側及び前側の側面壁が着脱可能となっており、２つの沈殿槽３０を連結して、全体として一つの沈殿槽３０を形成している。このように、複数の沈殿槽３０を並列させると共に、隣り合う各沈殿槽３０において対向する側面壁をそれぞれ取り外して、当該隣り合う各沈殿槽３０同士を連結することにより全体として一つの沈殿槽３０を形成することができる。
【００４３】
すなわち、濁水処理に対する要求水質の違いに応じて、１単位となる沈殿槽３０を複数連結する。具体的には、濁水処理に対する要求水質が放流水ＳＳ２０ｍｇ／リットル程度と、比較的緩和されている場合には、沈殿槽３０を１単位だけ使用する。また、濁水処理に対する要求水質が放流水ＳＳ１０ｍｇ／リットル程度と、比較的高い場合には、沈殿槽３０を２単位連結して使用する。沈殿槽３０を１単位だけ使用する場合には、３０ｍ3／ｈ程度の処理能力までは、放流水の水質をＳＳ１０ｍｇ／リットル以下とすることができる。ここで、沈殿槽３０を１単位だけ使用して、６０ｍ3／ｈ程度の濁水処理を行う場合には、放流水の水質がＳＳ２０ｍｇ／リットル程度となる。したがって、６０ｍ3／ｈ程度の濁水処理を行う場合に、要求水質がＳＳ１０ｍｇ／リットル以下である場合には、沈殿槽３０を２単位連結して使用すればよい。
【００４４】
沈殿槽３０の連結方向は、どのような方向であってもよく、濁水処理装置を設置する現場の地形や面積等に合わせて、適宜連結することができる。例えば、図２に示すように、２個又は３個の沈殿槽３０を直列あるいは並列に連結することができる。また、図示しないが、沈殿槽３０をコ字状に連結してもよい。連結する沈殿槽３０の数及び連結方向は、特に限定するものではなく、濁水の発生量等、現場の状況に応じて適宜な連結状態とすることにより、適正な処理量を有する沈殿槽３０を形成することができる。
【００４５】
なお、連結面となる側面壁を取り外さずに、複数個の沈殿槽３０を連結した場合には、被処理水の水量が増加すると、その分、各沈殿槽３０内における上向きの流速が速くなり、フロックの分離性能が低下する。したがって、沈殿槽３０の容量を増加する場合には、本実施形態のように、連結面の壁を取り外して連結し、全体として一つの沈殿槽３０を形成することが好ましい。
【００４６】
沈殿槽３０の底部は、下方へ向かって縮径しながら突出する円錐状の沈殿部３４となっており、最下端部には、フロックを排出するための開口部３５が設けられている。１単位の沈殿槽３０には、被処理水の流下方向に沿って２つの沈殿部３４が設けられており、隣り合う沈殿部３４の境界部には、上方へ向かって縮径して突出する山型のフロック堆積阻害部３６が形成されている。このフロック堆積阻害部３６により、隣り合う沈殿部３４と沈殿部３４の間にフロックが堆積することを防止している。なお、１単位の沈殿槽３０に設ける沈殿部３４の数は２つに限られず、３つあるいはそれ以上であってもよい。沈殿部３４の数は、沈殿槽３０の高さや流下方向の長さに応じて、適宜変更して実施することができる。すなわち、１単位の沈殿槽３０に複数の沈殿部３４を設けるのは、同じ高さの沈殿槽３０であっても、沈殿部３４の内壁面の傾斜角度を鋭くするためであり、これにより、沈殿部３４においてフロックを容易に滑り落とすことができる。
【００４７】
また、各沈殿部３４の内部には、堆積したフロックを開口部３５へ向かって掻き出す（掻き落とす）ためのフロック掻出装置５０が設けられている。フロック掻出装置５０は、例えば、沈殿部３４の内周面に沿って回転するスクリュー５１や掻出翼５２からなる。すなわち、フロック掻出装置５０は、図４又は図５に示すように、沈殿部３４の略中心部に、上下方向に設けた回転軸５３と、この回転軸５３に取り付けられたスクリュー５１又は掻出翼５２と、回転軸５３の上端部に連結され、回転軸５３を回転駆動する回転駆動モータ５４とを備えている。なお、回転軸５３に直接回転駆動モータ５４を連結するのではなく、Ｖベルトやギヤ等の動力伝達機構及び回転数制御機構を介して、回転軸５３に回転駆動モータ５４の駆動力を伝達してもよい。このフロック掻出装置５０により、沈殿部３４の内部に堆積したフロックが開口部３５へ向かって掻き出される（掻き落とされる）ので、フロックを開口部３５から容易に排出することができる。
【００４８】
また、開口部３５には汚泥引抜管（図示せず）が連通接続されており、この汚泥引抜管には、汚泥引抜ポンプ（図示せず）が接続されている。汚泥引抜管は、例えば直径２〜４ｉｎｃｈ程度の鋼管等からなる。また、汚泥引抜ポンプは、例えば自給型カスケードポンプや雑排水用水中ポンプを利用することができる。
【００４９】
そして、沈殿部３４に所定量のフロックが溜まると、汚泥引抜ポンプを作動させて、沈殿槽３０内からフロックを排出する。汚泥引抜ポンプは、タイマ機構により所定時間毎に作動させてもよいし、フロックの滞留状態を目視して、手動で作動させてもよい。排出されたフロックは、産業廃棄物として処理してもよいが、脱水処理を施した後、緑化基盤や埋め戻し材料に有効利用することができる。
【００５０】
また、沈殿槽３０は、沈殿させたフロックの一部を第１攪拌槽１０又は第２攪拌槽２０の少なくとも一方に戻すフロック戻し機構を備えた構成としてもよい。例えば、汚泥引抜管の先端部を第１攪拌槽１０や第２攪拌槽２０に接続することにより、沈殿部３４に沈降したフロックの一部を第１攪拌槽１０又は第２攪拌槽２０に戻すことができる。
【００５１】
なお、本実施形態では、沈殿部３４を、下方へ向かって縮径しながら突出する円錐状に形成している。これに対して、沈殿部３４を、下方へ向かって縮径しながら突出する角錐状（例えば四角錐状）とした場合には、角部に汚泥が引っかかり、汚泥引き抜きが困難となる場合がある。したがって、沈殿部３４は、下方へ向かって縮径しながら突出する円錐状とすることが好ましい。
【符号の説明】
【００５２】
１０  第１攪拌槽
２０  第２攪拌槽
３０  沈殿槽
３１  潜り堰
３２  整流板
３２ａ  整流面
３３  邪魔板
３４  沈殿部
３５  開口部
３６  フロック堆積阻害部
４０  凝集材投入装置
５０  フロック掻出装置
５１  スクリュー
５２  掻出翼
５３  回転軸
５４  回転駆動モータ
６０  振動装置
６１  振動桿
６２  円板カム
６２ａ  カム軸
６３  コイルバネ
６４  駆動モータ
６５  連結部材
７０  振動装置
７１  振動桿
７２  クランクディスク
７３  駆動モータ
７４  連結棒
７５  連結部材
【図１】
2013180266.tif 000003
【図２】
2013180266.tif 000004
【図３】
2013180266.tif 000005
【図４】
2013180266.tif 000006
【図５】
2013180266.tif 000007
【図６】
2013180266.tif 000008
【図７】
2013180266.tif 000009